【手続補正書】
【提出日】平成26年9月1日(2014.9.1)
【手続補正１】
【補正対象書類名】特許請求の範囲
【補正対象項目名】全文
【補正方法】変更
【補正の内容】
【特許請求の範囲】
【請求項１】
現像剤を収容するように構成された現像剤収容部を有し、前記現像剤収容部を挟んで所定方向に間隔を隔てて対向配置される第１側壁および第２側壁を含む筐体と、
前記第１側壁に対して前記現像剤収容部の反対側に配置され、外部からの駆動力を受けるためのカップリング部材と、
前記第２側壁に対して前記現像剤収容部の反対側に配置され、外部の検知手段に検知されるための被検知体と、
前記所定方向に延びる回転軸線を回転中心として回転するように構成され、第１側壁と第２側壁との間に配置される回転部材と、
前記回転軸線を回転中心として前記回転部材とともに回転するように構成され、前記第１側壁に対して前記カップリング部材が配置された側に配置され、前記カップリング部材に入力された駆動力を前記回転部材に伝達するように構成された第１駆動伝達部材と、
前記回転軸線を回転中心として前記回転部材とともに回転するように構成され、前記第２側壁に対して前記被検知体が配置された側に配置され、前記駆動力を前記回転部材から前記被検知体に伝達する第２駆動伝達部材と、
前記第１側壁と前記第２側壁との間に配置され、現像剤を担持するように構成された現像ローラと、
前記第２側壁に対して前記被検知体が配置された側に配置され、前記現像ローラに電気的に接続されるように構成された現像電極と
を備え、
前記現像電極は、外部から給電されるために、前記所定方向において前記第２側壁とは反対側へ延びる被給電部を有し、
前記被検知体は、絶縁性部材からなり、前記被給電部に回転可能に支持されていることを特徴とする、カートリッジ。
【請求項２】
前記被検知体は、前記所定方向に投影したときにその少なくとも一部が前記カップリング部材に重なるように、配置されていることを特徴とする、請求項１に記載のカートリッジ。
【請求項３】
前記回転部材は、前記現像剤収容部内の現像剤を攪拌するように構成された攪拌部材であることを特徴とする、請求項１または２に記載のカートリッジ。
【請求項４】
前記被給電部は、前記所定方向に投影したときに前記カップリング部材に重なるように、配置されていることを特徴とする、請求項１ないし３のいずれか一項に記載のカートリッジ。
【請求項５】
前記被検知体は、
前記被検知体の回転方向に延び、前記被給電部を露出させる第１開口と、
前記被給電部を被覆する被覆部と、を有することを特徴とする、請求項１ないし４のいずれか一項に記載のカートリッジ。
【請求項６】
前記被覆部は、
前記第１開口の前記回転方向途中に設けられ、前記被給電部を前記所定方向と直交する直交方向から被覆する第１被覆部と、
前記被給電部を前記所定方向外側から被覆する第２被覆部と
を有することを特徴とする、請求項５に記載のカートリッジ。
【請求項７】
前記第１被覆部は、複数設けられていることを特徴とする、請求項６に記載のカートリッジ。
【請求項８】
前記第１被覆部は、その数が前記カートリッジに関する情報に対応していることを特徴とする、請求項７に記載のカートリッジ。
【請求項９】
前記第１被覆部は、前記被給電部を、前記回転方向において連続して半分以上被覆することを特徴とする、請求項６に記載のカートリッジ。
【請求項１０】
前記第１被覆部は、その前記回転方向長さが前記カートリッジに関する情報に対応していることを特徴とする、請求項９に記載のカートリッジ。
【請求項１１】
前記第１被覆部は、
その前記回転方向上流側に設けられ、前記回転方向下流側へ向かうに従って前記直交方向外側へ傾斜する第１傾斜面と、
前記第１傾斜面の前記回転方向下流側に連続して設けられ、前記回転方向下流側へ向かうに従って前記直交方向内側へ傾斜する第２傾斜面と
を有することを特徴とする、請求項６ないし１０のいずれか一項に記載のカートリッジ。
【請求項１２】
前記第２被覆部は、前記被給電部の前記所定方向外側端部に嵌合する嵌合部を有することを特徴とする、請求項６ないし１１のいずれか一項に記載のカートリッジ。
【請求項１３】
前記被給電部は、筒形状に形成されており、
前記嵌合部は、前記被給電部の前記所定方向外側端部に内嵌されていることを特徴とする、請求項１２に記載のカートリッジ。
【請求項１４】
前記第２側壁は、前記被給電部に内嵌されるように前記所定方向外側へ突出する突出部を有することを特徴とする、請求項１３に記載のカートリッジ。
【請求項１５】
前記被検知体は、前記第１開口を介して前記被給電部へ給電される第１位置から、前記被覆部により前記被給電部への電力の入力が解除される第２位置を経て、前記第１開口を介して前記被給電部へ給電される第３位置へ移動可能であることを特徴とする、請求項５ないし１４のいずれか一項に記載のカートリッジ。
【請求項１６】
前記現像ローラは、前記回転部材を兼ねることを特徴とする、請求項１または２に記載のカートリッジ。
【請求項１７】
前記回転部材は、現像剤を担持するように構成された現像ローラに、現像剤を供給するように構成された供給ローラであることを特徴とする、請求項１または２に記載のカートリッジ。
【請求項１８】
前記被検知体は、前記駆動力が伝達される歯部と、前記駆動力が伝達されない欠け歯部とを含む欠け歯ギヤを有することを特徴とする、請求項１ないし１７のいずれか一項に記載のカートリッジ。
【請求項１９】
少なくとも前記欠け歯ギヤを被覆する被覆部材を備え、
前記被覆部材は、前記被検知体を露出させる第２開口を有することを特徴とする、請求項１８に記載のカートリッジ。
【請求項２０】
前記被覆部材の前記所定方向外側端縁は、前記所定方向と直交する直交方向に投影したときに、前記被検知体の前記所定方向外側端縁と重なるように配置されていることを特徴とする、請求項１９に記載のカートリッジ。
【請求項２１】
前記第１駆動伝達部材は、前記カップリング部材から前記駆動力が入力されるように構成された第１ギヤであり、
前記第２駆動伝達部材は、前記被検知体に前記駆動力を伝達する第２ギヤであり、
前記第１ギヤの歯数と、前記第２ギヤの歯数とは、互いに異なっていることを特徴とする、請求項１ないし２０のいずれか一項に記載のカートリッジ。
【請求項２２】
前記第１ギヤの歯数は、前記第２ギヤの歯数よりも多いことを特徴とする、請求項２１に記載のカートリッジ。
【手続補正２】
【補正対象書類名】明細書
【補正対象項目名】００１４
【補正方法】変更
【補正の内容】
【００１４】
また、本発明のカートリッジは、回転軸線を回転中心として回転部材とともに回転するように構成され、第２側壁に対して被検知体が配置された側に配置され、駆動力を回転部材から被検知体に伝達する第２駆動伝達部材を備える。
また、本発明のカートリッジは、第１側壁と第２側壁との間に配置され、現像剤を担持するように構成された現像ローラを備える。
また、本発明のカートリッジは、第２側壁に対して被検知体が配置された側に配置され、現像ローラに電気的に接続されるように構成された現像電極を備える。
この場合、現像電極は、外部から給電されるために、所定方向において第２側壁とは反対側へ延びる被給電部を有し、被検知体は、絶縁性部材からなり、被給電部に回転可能に支持される。
【手続補正３】
【補正対象書類名】明細書
【補正対象項目名】００１７
【補正方法】変更
【補正の内容】
【００１７】
その結果、カートリッジを小型化することができる。
また、被検知体と被給電部とを別々に設ける場合と比べて、効率よく被検知体を配置することができる。
（２）被検知体は、所定方向に投影したときにその少なくとも一部がカップリング部材に重なるように、配置されていてもよい。
【手続補正４】
【補正対象書類名】明細書
【補正対象項目名】００１９
【補正方法】変更
【補正の内容】
【００１９】
このような構成によれば、攪拌部材を利用してカップリング部材から被検知体へ駆動力を伝達することができ、部品点数を低減することができる。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
（４）また、被給電部は、所定方向に投影したときにカップリング部材に重なるように、配置されていてもよい。
【手続補正８】
【補正対象書類名】明細書
【補正対象項目名】００２３
【補正方法】変更
【補正の内容】
【００２３】
このような構成によれば、被給電部とカップリング部材とを、所定方向に投影したときにほぼ同じ位置に配置することができ、カートリッジをより一層小型化することができる。
（５）また、被検知体は、被検知体の回転方向に延び、被給電部を露出させる第１開口と、被給電部を被覆する被覆部と、を有していてもよい。
【手続補正９】
【補正対象書類名】明細書
【補正対象項目名】００２４
【補正方法】変更
【補正の内容】
【００２４】
このような構成によれば、被検知体の回転により、確実に、外部から被給電部への給電、および、給電の解除を切り替えることができる。
（６）また、被覆部は、第１開口の回転方向途中に設けられ、被給電部を所定方向と直交する直交方向から被覆する第１被覆部と、被給電部を所定方向外側から被覆する第２被覆部とを有している。
【手続補正１０】
【補正対象書類名】明細書
【補正対象項目名】００２５
【補正方法】変更
【補正の内容】
【００２５】
このような構成によれば、被覆部によって、突出部を直交方向および所定方向外側から
保護することができる。
（７）また、第１被覆部は、複数設けられていてもよい。
【手続補正１１】
【補正対象書類名】明細書
【補正対象項目名】００２６
【補正方法】変更
【補正の内容】
【００２６】
このような構成によれば、突出部を、直交方向における複数の箇所において保護することができる。
（８）また、第１被覆部は、その数がカートリッジに関する情報に対応していてもよい。
【手続補正１２】
【補正対象書類名】明細書
【補正対象項目名】００２７
【補正方法】変更
【補正の内容】
【００２７】
このような構成によれば、第１被覆部の数に基づいて、カートリッジの情報を、簡易かつ確実に判断することができる。
（９）また、第１被覆部は、被給電部を、回転方向において連続して半分以上被覆してもよい。
【手続補正１３】
【補正対象書類名】明細書
【補正対象項目名】００２８
【補正方法】変更
【補正の内容】
【００２８】
このような構成によれば、突出部を、回転方向において連続して半分以上保護することができる。
（１０）また、第１被覆部は、その回転方向長さがカートリッジに関する情報に対応していてもよい。
【手続補正１４】
【補正対象書類名】明細書
【補正対象項目名】００２９
【補正方法】変更
【補正の内容】
【００２９】
このような構成によれば、第１被覆部の回転方向長さに基づいて、カートリッジの情報を、簡易かつ確実に判断することができる。
（１１）また、第１被覆部は、その回転方向下流側に設けられ、回転方向上流側へ向かうに従って直交方向外側へ傾斜する第１傾斜面と、第１傾斜面の回転方向上流側に連続して設けられ、回転方向上流側へ向かうに従って直交方向内側へ傾斜する第２傾斜面とを有してもよい。
【手続補正１５】
【補正対象書類名】明細書
【補正対象項目名】００３１
【補正方法】変更
【補正の内容】
【００３１】
その結果、被検知体の第１被覆部を、円滑に、被給電部と外部の検出手段との間を通過させることができる。
（１２）また、第２被覆部は、被給電部の所定方向外側端部に嵌合する嵌合部を有していてもよい。
【手続補正１６】
【補正対象書類名】明細書
【補正対象項目名】００３２
【補正方法】変更
【補正の内容】
【００３２】
このような構成によれば、嵌合部により、被給電部の所定方向外側端部を被検知体に対して位置決めすることができる。
（１３）また、被給電部は、筒形状に形成されており、嵌合部は、被給電部の所定方向外側端部に内嵌されていてもよい。
【手続補正１７】
【補正対象書類名】明細書
【補正対象項目名】００３３
【補正方法】変更
【補正の内容】
【００３３】
このような構成によれば、嵌合部により、被給電部の所定方向外側端部を補強することができる。
（１４）また、第２側壁は、被給電部に内嵌されるように所定方向外側へ突出する突出部を有していてもよい。
【手続補正１８】
【補正対象書類名】明細書
【補正対象項目名】００３４
【補正方法】変更
【補正の内容】
【００３４】
このような構成によれば、突出部により、被給電部を補強することができる。
（１５）また、被検知体は、第１開口を介して被給電部へ給電される第１位置から、被覆部により被給電部への電力の入力が解除される第２位置を経て、第１開口を介して被給電部へ給電される第３位置へ移動可能であってもよい。
【手続補正１９】
【補正対象書類名】明細書
【補正対象項目名】００３５
【補正方法】変更
【補正の内容】
【００３５】
このような構成によれば、被給電部への電力の入力が解除される前後において、被給電部への給電を検知することができ、被給電部への電力の入力の解除を、確実に、外部の検知手段に認識させることができる。
（１６）また、現像ローラは、回転部材を兼ねてもよい。
【手続補正２０】
【補正対象書類名】明細書
【補正対象項目名】００３６
【補正方法】変更
【補正の内容】
【００３６】
このような構成によれば、現像ローラを利用してカップリング部材から被検知体へ駆動力を伝達することができ、部品点数を低減することができる。
（１７）また、回転部材は、現像剤を担持するように構成された現像ローラに、現像剤を供給するように構成された供給ローラであってもよい。
【手続補正２１】
【補正対象書類名】明細書
【補正対象項目名】００３７
【補正方法】変更
【補正の内容】
【００３７】
このような構成によれば、供給ローラを利用してカップリング部材から被検知体へ駆動力を伝達することができ、部品点数を低減することができる。
（１８）また、被検知体は、駆動力が伝達される歯部と、駆動力が伝達されない欠け歯部とを含む欠け歯ギヤを有していてもよい。
【手続補正２２】
【補正対象書類名】明細書
【補正対象項目名】００３８
【補正方法】変更
【補正の内容】
【００３８】
このような構成によれば、被検知体を、回転駆動開始から回転駆動停止までの所定の駆動量で、確実に回転駆動させることができる。
（１９）また、少なくとも欠け歯ギヤを被覆する被覆部材を備え、被覆部材は、被検知体を露出させる第２開口を有していてもよい。
【手続補正２３】
【補正対象書類名】明細書
【補正対象項目名】００３９
【補正方法】変更
【補正の内容】
【００３９】
このような構成によれば、欠け歯ギヤを保護するとともに、第２開口を介して被給電部に給電することができる。
（２０）被覆部材の所定方向外側端縁は、所定方向と直交する直交方向に投影したときに、被検知体の所定方向外側端縁と重なるように配置されていてもよい。
【手続補正２４】
【補正対象書類名】明細書
【補正対象項目名】００４０
【補正方法】変更
【補正の内容】
【００４０】
このような構成によれば、外部の部材が直交方向から被検知体に当接されることを防止できる。
（２１）第１駆動伝達部材は、カップリング部材から駆動力が入力されるように構成された第１ギヤであり、第２駆動伝達部材は、被検知体に駆動力を伝達する第２ギヤであり、第１ギヤの歯数と、第２ギヤの歯数とは、互いに異なっていてもよい。
【手続補正２５】
【補正対象書類名】明細書
【補正対象項目名】００４１
【補正方法】変更
【補正の内容】
【００４１】
このような構成によれば、回転部材の回転速度に対して、被検知体の回転速度を任意に設定することができる。
（２２）また、第１ギヤの歯数は、第２ギヤの歯数よりも多くてもよい。